(57)【要約】【課題】  棚板及び側板を容易かつ強固に内部で固定するとともに家具としての美観も高い組立式家具を提供する。【解決手段】  組立式家具は、互いの板体面が対向して複数配設される側板１と、側板１の内部を板体面の直交方向に貫通する側板取付孔１１と、対向する側板１間の直交方向に挟まれて側板１間の上下複数段に配設される棚板２と、棚板２内を板体面に平行に貫通する棚板支持孔２２と、棚板２内を板体面の直交方向に貫通する棚板取付孔２１と、棚板支持孔２２の内部に挿入できる棒状体から成り、棒状体の両端に雌螺子部３１を持つパイプ３と、中間の棚板２の棚板取付孔２１に挿通され、雌螺子部３１に螺合する雄螺子部４１を両端に持つ中間ネジ４と、側端の側板の棚板取付孔２１に挿通され、雌螺子部３１に螺合する雄螺子部５１を一端に、側端の棚板２と係止する係止部５２を他端に持つ側端ネジ５とを備え、中間ネジ４が棚板取付孔２１に挿通され、棚板支持孔２２に内挿されたパイプ３同士を螺合して連携させ、棚板２を同一平面上に接合する。【選択図】図１
0003161706.tif 000002
【実用新案登録請求の範囲】
【請求項１】
互いの板体面が対向して複数配設される側板と、当該対向する側板間に直交する方向に挟まれて当該側板間の上下複数段に配設される棚板とを備える組立式家具において、
前記側板又は棚板の内部を板体面に平行に貫通する支持孔と、
前記側板又は棚板の内部を板体面に直交する方向に貫通する取付孔と、
前記支持孔の内部に挿入可能な横断面を有する棒状体から形成され、当該棒状体の両端部に雌螺子部を有する連結棒と、
前記複数の側板又は棚板のうち中間の側板又は棚板の前記取付孔に挿通され、前記連結棒の雌螺子部に螺合する雄螺子部を両端に有する中間雄螺子体と、
前記複数の側板又は棚板のうち側端の側板又は棚板の前記取付孔に挿通され、前記連結棒の雌螺子部に螺合する雄螺子部を一の端部に有し、当該側端の側板又は棚板と係止する係止部を他の端部に有する側端雄螺子体とを備え、
前記中間雄螺子体が、前記側板又は棚板の前記取付孔に挿通され、前記側板又は棚板の前記支持孔の内部に挿入された前記連結棒同士を螺合して連携させ、前記側板又は棚板を同一平面上に接合することを特徴とする
組立式家具。
【請求項２】
請求項１に記載の組立式家具において、
前記連結棒が、外周面に、互いに平行する２つの面を備えることを
特徴とする
組立式家具。
【請求項３】
請求項１又は請求項２に記載の組立式家具において、
前記連結棒が、長手方向と直交する方向に内部を貫通する棒内貫通孔を備えることを
特徴とする
組立式家具。
【考案の詳細な説明】
【技術分野】
【０００１】
本考案は、棚板と側板とから組み立てられる組立式家具に関し、特に棚板と側板とを容易かつ強固に組み立てることができる組立式家具に関する。
【背景技術】
【０００２】
棚板と側板とから組み立てられる組立式家具は、家庭用、業務用を問わず広い用途で用いられている。組立式家具は、その棚板と側板を固定する際に螺子（ネジ）が主に使用されるが、この螺子が家具の外部に露出することで、家具の美観を損なうことやその固定力が経時的に弱くなるという問題がある。この問題を解決するために、棚板や側板の内部で螺子を固定する組立式家具が考えられている。
【０００３】
従来の組立式家具としては、棚板を上下複数段に横設すると共に、それら棚板の最上段に天板を横設し、上下の前記棚板の間及び前記天板とこの天板の下段の棚板との間に縦方向の側板と仕切り板とを設ける組立式家具であって、各段の前記側板と中段の前記棚板とを貫通する貫通孔を形成し、この貫通孔に連結棒を挿入し、この連結棒の上下を前記天板と最下段の前記棚板に固定するものがある（例えば、特許文献１参照）。
【０００４】
また、従来の組立式家具としては、棚板を上下複数段に横設すると共に、それら棚板の最上段に天板を横設し、上下の前記棚板の間及び前記天板とこの天板の下段の棚板との間に縦方向の側板を設け、各段の前記側板と中段の前記棚板とを貫通する貫通孔を形成し、この貫通孔に連結棒を挿入し、この連結棒の下端を最下段の前記棚板に螺着すると共に、該連結棒の上端を前記天板に固定する組立式家具であって、前記連結棒の上部には、前記貫通孔に係合する回止め係合部を設けたものもある（例えば、特許文献２参照）。
【先行技術文献】
【特許文献】
【０００５】
【特許文献１】実願平６−７６５号公報
【特許文献２】特開平７−３２２９２４号公報
【考案の概要】
【考案が解決しようとする課題】
【０００６】
しかしながら、従来の組立式家具は、連結棒を連結孔（縦孔）に挿入することで、棚板及び側板を内部で固定することができるが、固定長の連結棒を使用する場合には、組立式家具の大きさが異なれば、組立式家具の大きさごとに長さの異なる連結棒が必要となり、コストが高くつくという課題がある。また、従来の組立式家具は、連結棒の両端の形状を雄螺子及び雌螺子とした場合には、連結棒同士を連結することができるものの、連結棒の形状が複雑化してしまうことから、連結棒の部材としての汎用性が低く、連結棒の製造コストも高くついてしまうという課題がある。
【０００７】
本考案は、上記課題を解決するために、棚板及び側板を容易かつ強固に内部で固定するとともに家具としての美観も高い組立式家具を提供することを目的とする。
【課題を解決するための手段】
【０００８】
本願に開示する組立式家具は、互いの板体面が対向して複数配設される側板と、当該対向する側板間に直交する方向に挟まれて当該側板間の上下複数段に配設される棚板とを備える組立式家具において、前記側板又は棚板の内部を板体面に平行に貫通する支持孔と、前記側板又は棚板の内部を板体面に直交する方向に貫通する取付孔と、前記支持孔の内部
に挿入可能な横断面を有する棒状体から形成され、当該棒状体の両端部に雌螺子部を有する連結棒と、前記複数の側板又は棚板のうち中間の側板又は棚板の前記取付孔に挿通され、前記連結棒の雌螺子部に螺合する雄螺子部を両端に有する中間雄螺子体と、前記複数の側板又は棚板のうち側端の側板又は棚板の前記取付孔に挿通され、前記連結棒の雌螺子部に螺合する雄螺子部を一の端部に有し、当該側端の側板又は棚板と係止する係止部を他の端部に有する側端雄螺子体とを備え、前記中間雄螺子体が、前記側板又は棚板の前記取付孔に挿通され、前記側板又は棚板の前記支持孔の内部に挿入された前記連結棒同士を螺合して連携させ、前記側板又は棚板を同一平面上に接合するものである。
【０００９】
このように、本願に開示する組立式家具は、連結棒の雌螺子部に螺合する雄螺子部を両端に有する雄螺子体とを備えることから、当該雄螺子体を用いて連結棒同士を連結する際に、雄螺子及び雌螺子を組み合せた各種形状の連結棒を作成する必要がなく、連結棒を共通部材化できることとなり、材料の汎用化及びコストの抑制を行うことができる。
【００１０】
また、本願に開示する組立式家具は必要に応じて、前記連結棒が、外周面に、互いに平行する２つの面を備えるものである。このように、本願に開示する組立式家具は、前記連結棒が、外周面に、互いに平行する２つの面を備えることから、スパナを用いて連結棒を回転できることとなり、作業負荷を抑えることを可能とし、力の弱い人でも組立作業を行うことができる。
【００１１】
また、本願に開示する組立式家具は必要に応じて、前記連結棒が、長手方向と直交する方向に内部を貫通する棒内貫通孔を備えるものである。このように、本願に開示する組立式家具は、前記連結棒が、長手方向と直交する方向に内部を貫通する棒内貫通孔を備えることから、六角レンチや棒状の工具を用いて連結棒を回転できることとなり、作業負荷を抑えることを可能とし、力の弱い人でも組立作業を行うことができる。
【図面の簡単な説明】
【００１２】
【図１】本考案の第１の実施形態に係る組立式家具の構成図である。
【図２】本考案の第１の実施形態に係る組立式家具の側端部の棚板固定に関する説明図である。
【図３】本考案の第１の実施形態に係る組立式家具の中間部の棚板固定に関する説明図である。
【図４】本考案の第１の実施形態に係る組立式家具のパイプの変形例を示す説明図である。
【図５】本考案の第２の実施形態に係る組立式家具の構成図である。
【図６】本考案の第３の実施形態に係る組立式家具の構成図である。
【図７】本考案の第３の実施形態に係る組立式家具の背板を設置する構成図である。
【図８】本考案のその他の実施形態に係る組立式家具の棚板を移動棚とする構成図である。
【図９】本考案のその他の実施形態に係る組立式家具の引き出しを使用する場合の説明図である。
【図１０】本考案のその他の実施形態に係る組立式家具の留め具を使用する場合の説明図である。
【考案を実施するための形態】
【００１３】
以下、本考案の実施の形態を説明する。本考案は多くの異なる形態で実施可能である。従って、本実施形態の記載内容のみで本考案を解釈すべきではない。また、本実施形態の全体を通して同じ要素には同じ符号を付けている。
【００１４】
（本考案の第１の実施形態）
以下、本考案の第１の実施形態に係る組立式家具を、図１から図４に基づいて説明する。
図１は本考案の第１の実施形態に係る組立式家具の構成図、図２はこの図１に記載された組立式家具の端部の棚板固定に関する説明図、図３はこの図１に記載された組立式家具の中間部の棚板固定に関する説明図、図４はこの図１に記載された組立式家具のパイプの変形例を示す説明図である。
【００１５】
図１において本実施形態に係る組立式家具は、互いの板体面が対向して複数配設される側板１と、この側板１の内部を板体面に直交する方向に貫通する側板取付孔１１と、この対向する側板１間に直交する方向に挟まれてこの側板１間の上下複数段に配設される棚板２と、この棚板２の内部を板体面に平行に貫通する棚板支持孔２２と、この棚板２の内部を板体面に直交する方向に貫通する棚板取付孔２１と、この棚板支持孔２２の内部に挿入可能な横断面を有する棒状体から形成され、この棒状体の両端部に雌螺子部３１を有するパイプ３と、この複数の棚板２のうち中間の棚板２の棚板取付孔２１に挿通され、このパイプ３の雌螺子部３１に螺合する雄螺子部４１を両端に有する中間ネジ４と、この複数の側板のうち側端の側板の棚板取付孔２１に挿通され、このパイプ３の雌螺子部３１に螺合する雄螺子部５１を一の端部に有し、この側端の棚板２と係止する係止部５２を他の端部に有する側端ネジ５とを備え、この中間ネジ４が、この棚板２の棚板取付孔２１に挿通され、この棚板２の棚板支持孔２２の内部に挿入されたこのパイプ３同士を螺合して連携させ、この棚板２を同一平面上に接合する構成である。
【００１６】
側板１及び棚板２は、木材チップ材を原料とする中質繊維板（MDF；Medium Density Fiberboard)、パーティクルボード及び配向性ストランドボード (OSB；Oriented Strand Board) 等の化粧板から構成される。棚板支持孔２２は、円柱形状であり、その直径は、好ましくは１０ｍｍ〜２０ｍｍであり、より好ましくは１０ｍｍ〜１５ｍｍであり、より好ましくは１２ｍｍである。この棚板取付孔２１は、円形形状であり、その直径は、好ましくは１０ｍｍ〜２０ｍｍであり、より好ましくは１０ｍｍ〜１５ｍｍであり、さらに好ましくは１２ｍｍである。
【００１７】
パイプ３は、円柱形状を有し、内部がくり貫かれた中空構造を有する。このパイプ３は、その円柱形状における外周円の直径が、好ましくは１０ｍｍ〜２０ｍｍであり、より好ましくは１０ｍｍ〜１５ｍｍであり、より好ましくは１２ｍｍである。また、内部の中空構造は、円柱形状を有しており、その直径は、好ましくは３ｍｍ〜１０ｍｍであり、より好ましくは５ｍｍ〜６ｍｍであり、さらに好ましくは５．３ｍｍである。
【００１８】
このパイプ３は、アルミダイキャストにより鋳造されることが好ましい。アルミダイキャストを用いることにより、高精度かつ薄肉構造のパイプを大量生産することができる。このパイプ３は、両端の雌螺子部３１において、その長手方向におけるネジ長さが、好ましくは１０ｍｍ〜１５ｍｍであり、より好ましくは１０ｍｍである。
【００１９】
中間ネジ４は、一般に寸切ボルトや長ネジと呼ばれるもので、黄銅（真鍮）製であり、ニッケルやクロムによりメッキ加工が施されていてもよい。雄螺子部４１は、パイプ３の雌螺子部３１に螺合する形状及び大きさであり、その長手方向におけるネジ長さが、好ましくは１０ｍｍ〜１５ｍｍであり、より好ましくは１０ｍｍである。
【００２０】
側端ネジ５は、黄銅（真鍮）製であり、ニッケルやクロムによりメッキ加工が施されてもよい。雄螺子部５１は、パイプ３の雌螺子部３１に螺合する形状及び大きさであり、その長手方向におけるネジ長さが、好ましくは１０ｍｍ〜１５ｍｍであり、より好ましくは１０ｍｍである。側端ネジ５の係止部５２は、このパイプ３の長手方向に対する断面と同じ大きさであることが好ましく、その外周円の直径が、好ましくは１０ｍｍ〜２０ｍｍであり、より好ましくは１０ｍｍ〜１５ｍｍであり、より好ましくは１２ｍｍである。
以下、前記構成に基づく本実施形態の具体的な組立について説明する。
【００２１】
（側端部の側板の固定）
本実施形態は、図２（ａ）に示すように、まず側板取付孔１１と棚板取付孔２１とを向かい合わせて、側板１及び棚板２を直交する方向に置く。同図（ｂ）に示すように、棚板取付孔２１からパイプ３を棚板支持孔２２の内部に差し込み、側板取付孔１１に側端ネジ５をねじ込む。このねじ込みにより、この側端ネジ５は、同図（ｃ）に示すように、棚板取付孔２１に差し込まれたパイプ３の側板１側の雌螺子部３１を螺合する。この螺合により、側板１及び棚板２を固定することができる。
【００２２】
（中間部の側板の固定）
次に、図３（ａ）に示すように、まず側板取付孔１１と棚板取付孔２１とを向かい合わせて、側板１及び棚板２を直交する方向に置く。同図（ｂ）に示すように、棚板取付孔２１からパイプ３を棚板支持孔２２の内部に差し込み、側板取付孔１１に中間ネジ４をねじ込む。このねじ込みにより、この中間ネジ４は、同図（ｃ）に示すように、棚板取付孔２１に差し込まれたパイプ３の側板１側の雌螺子部３１を螺合する。この螺合により、側板１及び棚板２を固定することができる。
【００２３】
さらに、中間ネジ４は、同図（ｄ）に示すように、この側板１に固定した棚板２から、この側板１の裏側に突起する。この中間ネジ４は、同図（ｅ）に示すように、もう１枚の棚板２も螺合して、２つの棚板２を同一平面状に固定する。このように、この中間ネジ４を用いてパイプ３同士を連結する際に、雄螺子及び雌螺子を組み合せた各種形状のパイプ３を作成する必要がなく、パイプ３を共通部材化できることとなり、材料の汎用化及びコストの抑制を行うことができる。このように、シンプルな構造の中間ネジ４及び側端ネジ５を用いてパイプ３を連結することにより、前記図１のような側板１及び棚板２から成る組立式家具を作成することができる。本組立式家具は、中間ネジ４によるパイプ３の連結数を変化させるのみで、中間ネジ４及びパイプ３の部材構造はそのままで、異なる幅の側板１から成るものを自在かつ容易に作成することができる。
【００２４】
なお、パイプ３は、図４（ａ）に示すように、その外周面に、互いに平行する２つの水平面３２を備える構成とすることができる。このように、本組立式家具は、この水平面３２により、スパナを用いてパイプ３を回転できることとなり、作業負荷を抑えることを可能とし、力の弱い人でも組立作業を行うことができる。
【００２５】
また、パイプ３は、図４（ｂ）に示すように、その長手方向と直交する方向に内部を貫通するパイプ内貫通孔３３を備える構成とすることができる。このパイプ内貫通孔３３は、市販の六角レンチや棒状の工具を差し込みできる大きさを有する。このように、本組立式家具は、パイプ内貫通孔３３により、六角レンチや棒状の工具を用いて連結棒を回転できることとなり、作業負荷を抑えることを可能とし、力の弱い人でも組立作業を行うことができる。
【００２６】
なお、本実施形態では、棚板取付孔２１、棚板支持孔２２及びパイプ３は、１枚の棚板２につき２つとしたが、この数に限定されず、例えば、３つ、５つ、及び７つでもよい。この数が増えるほど、家具全体の強度を高めることができる。この数が少ないほど、家具
の製造コスト抑制、取扱いの容易性、及び軽量化を図ることができる。
【００２７】
（本考案の第２の実施形態）
以下、本考案の第２の実施形態に係る組立式家具を、図５に基づいて説明する。図５は、本考案の第２の実施形態に係る組立式家具の構成図である。
本実施形態は、上記の第１の実施形態ではパイプ３を棚板２の内部に挿入して棚板２同士を連携させたが、その変形例として、パイプ３を棚板２ではなく側板１の内部に挿入して側板１同士を連携させるものである。
【００２８】
本実施形態に係る組立式家具は、図５に示すように、互いの板体面が対向して複数配設される棚板２と、この棚板２の内部を板体面に直交する方向に貫通する棚板取付孔２１と、この対向する棚板２間に直交する方向に挟まれてこの棚板２間の左右複数段に配設される側板１と、この側板１の内部を板体面に平行に貫通する側板支持孔１２と、この側板１の内部を板体面に直交する方向に貫通する側板取付孔１１と、この側板支持孔１２の内部に挿入可能な横断面を有する棒状体から形成され、この棒状体の両端部に雌螺子部３１を有するパイプ３と、この複数の棚板２のうち中間の棚板２の棚板取付孔２１に挿通され、このパイプ３の雌螺子部３１に螺合する雄螺子部４１を両端に有する中間ネジ４と、この複数の棚板のうち側端の棚板のこの棚板取付孔２１に挿通され、このパイプ３の雌螺子部３１に螺合する雄螺子部５１を一の端部に有し、この側端の棚板２と係止する係止部５２を他の端部に有する側端ネジ５とを備え、この中間ネジ４が、この側板１の側板取付孔１１に挿通され、この側板１の棚板支持孔２２の内部に挿入されたこのパイプ３同士を螺合して連携させ、この側板１を同一平面上に接合する構成である。
【００２９】
本実施形態に係る組立式家具は、図２及び図３の各図を９０度回転させ、側板１、側板取付孔１１及び棚板取付孔２１を、それぞれ、棚板２、棚板取付孔２１及び側板取付孔１１と読み替えたものと同等である。本組立式家具は、中間ネジ４によるパイプ３の連結数を変化させるのみで、中間ネジ４及びパイプ３の部材構造はそのままで、異なる高さの棚板２から成るものを自在かつ容易に作成することができる。
【００３０】
（本考案の第３の実施形態）
以下、本考案の第３の実施形態に係る組立式家具を、図６及び図７に基づいて説明する。
図６は本考案の第３の実施形態に係る組立式家具の構成図、図７はこの図６に記載された組立式家具の背板を設置する構成図である。
【００３１】
本実施形態は、図６に示すように、上記の第２の実施形態において、側板１を省略した構成である。本実施形態に係る組立式家具は、パイプ３が外部に剥き出しとなることから、家具としての強度を維持しつつ、開放的なデザインが得られる。さらに、家具を軽量化できることとなり、容易に持ち運ぶことができる。
【００３２】
さらに、本実施形態は、図７に示すように、棚板２間の背面部に配設される背板６を備える構成とすることもできる。この背板６は、上記の側板１と同様に、この側板１の内部を板体面に平行に貫通する棚板支持孔２２と、この側板１の内部を板体面に直交する方向に貫通する側板取付孔１１とを備えるものであり、上記のパイプ３を用いて、中間ネジ４又は側端ネジ５により棚板２間に固定される。この背板６により、このパイプ３が外部に露出する開放的なデザインを維持しつつ、背面部の固定により支持構造を強化することができ、特に組立式家具の横揺れに対する強度を高めることができる。なお、この背板６は、同図に示すように、組立式家具の背面部の一部を被う形状とすることもできるが、この背面部の全体を被う形状とすることもでき、組立式家具に自在なデザインを施すことができる。
【００３３】
なお、上記の実施形態では、側板支持孔１２及び／又は棚板支持孔２２は、１枚の側板１及び／又は棚板２につき２つとしたが、この数に限定されず、例えば、この数が３つ、５つ、及び７つでもよい。この数が増えるほど、家具全体の強度を高めることができる。また、この数が少ないほど、家具の製造コスト抑制、取扱いの容易性、及び軽量化を図ることができる。
【００３４】
（本考案のその他の実施形態）
本考案のその他の実施形態を、図８ないし図１０に基づいて説明する。
図８は本考案のその他の実施形態に係る組立式家具の棚板を移動棚とする構成図、図９はこの図８に記載された組立式家具の引き出しを使用する場合の説明図、図１０はこの図８に記載された組立式家具の留め具を使用する場合の説明図である。
【００３５】
本考案のその他の実施形態としては、図８に示すように、棚板２を、上記の第１の実施形態と同様に、この棚板２の内部を板体面に平行に貫通する棚板支持孔２２と、この棚板２の内部を板体面に直交する方向に貫通する棚板取付孔２１とを備える構成とし、さらに、この棚板支持孔２２の内部に挿入可能な差込部７１と、パイプ３の外周部を嵌め合わせるパイプ嵌合部７２と、このパイプ嵌合部７２とパイプ３を固定する固定ネジ７３を有するクランプ部材７を備える構成である。
【００３６】
このクランプ部材７の差込部７１が、棚板支持孔２２の内部に挿入された棚板２は、パイプ嵌合部７２によりパイプ３に沿って上下にスライドさせることができ、ユーザーの好みの位置で固定ネジ７３を締めて固定することで、スライド自在な移動棚として機能することができる。例えば、この移動棚を低い位置で固定することにより、背の低い収納物を、美観を損なうことなく効率的に収納することができる。このように、移動棚として、上下の高さ調整が容易にできることから、様々な高さの収納物も効率的に収納することができる。
【００３７】
また、図９（a）に示すように、棚板２の裏側面に突起形状を有する棚板突起部２３を備えることもできる。例えば、図中の引き出し１００を本組立家具の棚板２間に挿入し、この棚板突起部２３を設置することにより、引き出しの落下を防止することができる。また、この引き出し１００を本組立家具に収納する場合にも、棚板突起部２３に当たることで、奥に入り過ぎることなく適切に収納することができる。
【００３８】
また、このような引き出し１００は、例えば、図９（ｂ）に示すような平面状の化粧板１０１から作成することができる。この化粧板１０１は、この化粧板１０１を長手方向に４等分する位置でV字型の９０°（垂直面に対して４５°）でカットされた３つのV字カット部１０２と、両端に配設された斜面状のテーパー部１０３とを備える。この化粧板１０１を、各V字カット部１０２が折り畳み角度９０°となるように折り畳み、この折り畳まれた４つの角部を、ボンド等の接着剤を用いて接着固定することにより、この引き出し１００を作成することができる。この化粧板１０１の構造により、この化粧板１０１を曲げ構造のみにより、この化粧板１０１の両端を加工する必要なく、美観に優れる化粧状態の引き出し１００を作成することができる。また、側板１を棚板２よりも下に長くする（例えば、３ｍｍ程度）ことにより、床の凹凸の影響を抑えた設置を行うことができる。また、底側に位置する側端ネジ５の係止部５２を、樹脂から成るキャップで被うことにより、床面、特にフローリングに対して傷が入りにくくすることができる。
【００３９】
また、図１０（a）に示すように、樹脂から成り、側板取付孔１１に差し込み可能な断面積を有する留め具８を、前記側板取付孔１１に取り付けることもできる。また、同図（ｂ）は、下面（裏面）から眺めた前記棚板２を示しており、前記棚板２に、この留め具８
が収納できる断面積を有する窪み形状の棚板凹部２４を備える構成とすることができる。
【００４０】
この棚板２の棚板凹部２４を、留め具８に差し込んで固定することにより、棚板凹部２４を差し込む留め具８を複数のうちから選べることとなり、ユーザーの好みの高さで棚板２を設置することができる。
【００４１】
以上の前記各実施形態により本考案を説明したが、本考案の技術的範囲は実施形態に記載の範囲には限定されず、これら各実施形態に多様な変更又は改良を加えることが可能である。このように変更又は改良を加えた実施の形態も本考案の技術的範囲に含まれる。このことは、実用新案請求の範囲及び課題を解決する手段からも明らかなことである。
【符号の説明】
【００４２】
１  側板
１１  側板取付孔
１２  側板支持孔
２  棚板
２１  棚板取付孔
２２  棚板支持孔
２３  棚板突起部
２４  棚板凹部
３  パイプ
３１  雌螺子部
３２ 水平面
３３ パイプ内貫通孔
４  中間ネジ
４１  雄螺子部
５  側端ネジ
５１  雄螺子部
５２  係止部
６  背板
７  クランプ部材
７１  差込部
７２  パイプ固定部
７３  固定ネジ
８  留め具
１００  引き出し
１０１  化粧板
１０２  V字カット部
１０３  テーパー部
【図１】
0003161706.tif 000003
【図２】
0003161706.tif 000004
【図３】
0003161706.tif 000005
【図４】
0003161706.tif 000006
【図５】
0003161706.tif 000007
【図６】
0003161706.tif 000008
【図７】
0003161706.tif 000009
【図８】
0003161706.tif 000010
【図９】
0003161706.tif 000011
【図１０】
0003161706.tif 000012